(57)【要約】  モバイルデバイスの近距離無線通信（ＮＦＣ）アンテナを使用して、モバイルデバイスを、電磁場を放出する充電ステーションに又はそれに非常に近接して配置することにより、モバイルデバイスのバッテリが無線充電される。所定持続時間より長く所定閾値を超えるＮＦＣアンテナからの誘導電流が検出される。誘導電流を使用して、モバイルデバイスのバッテリが充電される。【選択図】図２
2015500626.tif 000002
【特許請求の範囲】
【請求項１】
モバイルデバイスのバッテリを無線充電する方法であって、前記モバイルデバイスは近距離無線通信（ＮＦＣ）アンテナを備え、該方法は、
前記ＮＦＣアンテナから前記モバイルデバイス内に誘導される電流を検出することと、
前記モバイルデバイス内に誘導された前記電流が、所定持続時間より長く所定閾値を超えているか否かを判断することと、
前記モバイルデバイス内に誘導された前記電流が前記所定持続時間より長く前記所定閾値を超えていると判断されることに応じて、前記所定閾値を超える前記モバイルデバイス内に誘導された前記電流を使用して、前記モバイルデバイスの前記バッテリを充電することと、
を含む、モバイルデバイスのバッテリを無線充電する方法。
【請求項２】
前記ＮＦＣアンテナは、前記モバイルデバイスに組み込まれる、請求項１に記載の方法。
【請求項３】
前記モバイルデバイスは、前記ＮＦＣアンテナに結合されたＮＦＣモジュールを備え、該ＮＦＣモジュールは、前記モバイルデバイス内に誘導された前記電流の検出を行うように構成される、請求項２に記載の方法。
【請求項４】
前記ＮＦＣモジュールは、前記モバイルデバイスが、ＮＦＣ通信プロトコルを介して別のＮＦＣ対応デバイスと無線通信するのを可能にする、請求項３に記載の方法。
【請求項５】
前記モバイルデバイスは、電源管理モジュールを更に備え、
前記所定閾値を超える前記モバイルデバイス内に誘導された前記電流を使用することであって、前記モバイルデバイスの前記バッテリを充電することは、前記所定閾値を超えて誘導された前記電流を前記電源管理モジュールに向けることを含む、請求項１から４のいずれか１項に記載の方法。
【請求項６】
前記所定閾値を超える前記モバイルデバイス内に誘導された前記電流を使用することであって、前記モバイルデバイスの前記バッテリを充電することは、前記所定閾値を超える前記電流を、前記モバイルデバイスの前記バッテリを充電するように調整することを含む、請求項５に記載の方法。
【請求項７】
モバイルデバイスであって、
充電式バッテリと、
近距離無線通信（ＮＦＣ）アンテナと、
前記ＮＦＣアンテナに結合されたＮＦＣモジュールであって、
前記ＮＦＣアンテナ内に誘導された電流のレベルを検出し、
前記ＮＦＣアンテナ内に誘導された前記電流が、所定持続時間より長く第１の所定閾値レベルを超えているか否かを判断し、
前記ＮＦＣアンテナ内に誘導された前記電流が前記所定持続時間より長く前記第１の所定閾値レベルを超えていると判断されることに応じて、前記第１の所定閾値レベルを超える前記ＮＦＣアンテナ内に誘導された前記電流を使用して、該モバイルデバイスの前記充電式バッテリを充電する、
ように構成されたＮＦＣモジュールと、
を備える、モバイルデバイス。
【請求項８】
前記ＮＦＣモジュールは、第２の所定閾値レベルを超える電流を分流させるように構成されており、前記第２の所定閾値レベルは前記第１の所定閾値レベルより小さい、請求項７に記載のモバイルデバイス。
【請求項９】
前記ＮＦＣモジュールは、前記所定持続時間以下の時間、前記第１の所定閾値レベルを超える電流を分流させるように構成されている、請求項７又は８に記載のモバイルデバイス。
【請求項１０】
前記ＮＦＣモジュールは、前記第１の所定閾値レベルを超える前記ＮＦＣアンテナ内に誘導された前記電流を、前記モバイルデバイスの前記充電式バッテリを充電するように電源管理モジュールに向けるように構成されている、請求項７から９のいずれか１項に記載のモバイルデバイス。
【請求項１１】
前記ＮＦＣモジュールは、前記モバイルデバイスのシステムオンチップ（ＳｏＣ）の一部として実装されている、請求項７から１０のいずれか１項に記載のモバイルデバイス。
【請求項１２】
前記ＮＦＣモジュールは、調整器及び電源管理モジュールを含む、請求項７から１１のいずれか１項に記載のモバイルデバイス。
【請求項１３】
前記調整器は、
前記所定持続時間より長く前記第１の所定閾値レベルを超えている前記ＮＦＣアンテナ内に誘導された前記電流のレベルを検出し、
前記第１の所定閾値レベルを超える前記ＮＦＣアンテナ内に誘導された前記電流を、前記電源管理モジュールに向ける、
ように構成されている、請求項１２に記載のモバイルデバイス。
【請求項１４】
前記電源管理モジュールは、前記第１の所定閾値レベルを超える前記ＮＦＣアンテナ内に誘導された前記電流を、前記充電式バッテリを充電するよう調整するように構成されている、請求項１３に記載のモバイルデバイス。
【請求項１５】
前記第１の所定閾値レベルを超える前記ＮＦＣアンテナ内に誘導された前記電流の前記レベルが、前記所定持続時間より長く持続することが検出されると、前記ＮＦＣモジュールは、インジケーターを、前記充電式バッテリが充電されていることを示すよう制御するように構成されている、請求項７から１４のいずれか１項に記載のモバイルデバイス。
【請求項１６】
前記ＮＦＣモジュールは、前記充電式バッテリが実質的に完全に充電されたときを検出し、かつインジケーターを、前記充電式バッテリの充電が完了したことを示すよう制御するように構成されている、請求項７から１５のいずれか１項に記載のモバイルデバイス。
【請求項１７】
モバイルデバイスのバッテリを無線充電する方法であって、
前記モバイルデバイスに組み込まれたＮＦＣモジュールに結合された近距離無線通信（ＮＦＣ）アンテナ内に誘導された電流のレベルをモニタリングすることと、
前記ＮＦＣアンテナ内に誘導された前記電流の前記レベルが指定された閾値を超え、指定された持続時間より長く持続するか否かを判断することと、
前記ＮＦＣアンテナ内に誘導された前記電流が前記指定された持続時間より長く前記指定された閾値レベルを超えていると判断されることに応じて、前記指定された閾値レベルを超える前記ＮＦＣアンテナ内に誘導された前記電流を電源管理モジュールに向けることと、
前記電源管理モジュールによって、前記指定された閾値レベルを超える前記ＮＦＣアンテナ内に誘導された前記電流を、前記バッテリを充電するように調整することと、
を含む、モバイルデバイスのバッテリを無線充電する方法。
【請求項１８】
前記ＮＦＣモジュールは、前記モバイルデバイスが、ＮＦＣ通信プロトコルを介して別のＮＦＣ対応デバイスと無線通信するのを可能にする、請求項１７に記載の方法。
【請求項１９】
前記指定された閾値レベルを超える前記ＮＦＣアンテナ内に誘導された前記電流は、前記モバイルデバイスが、電磁場を放出する充電ステーションに配置されることに応じて生成される、請求項１７又は１８に記載の方法。
【請求項２０】
前記ＮＦＣモジュールは、前記モバイルデバイスのシステムオンチップ（ＳｏＣ）の一部として実装される、請求項１７から１９のいずれか１項に記載の方法。
【発明の詳細な説明】
【技術分野】
【０００１】
［関連出願の相互参照］  本開示は、引用することにより本明細書の一部をなすものとする、２０１１年１２月１４日に出願された米国仮特許出願第６１／５７０７６７号に対する優先権を主張する、２０１２年１２月６日に出願された米国特許出願第１３／７０６５０９号明細書に対する優先権を主張する。
【背景技術】
【０００２】
本明細書に記載する背景技術の説明は、本開示の背景（context）関係を概略的に示すことを目的としている。本発明者らの研究は、この背景技術の項に記載されている範囲において、出願時に従来技術として別段認められない可能性がある説明の態様とともに、本開示に対する従来技術として明示的にも暗示的にも認められるものではない。
【０００３】
多くの最新のモバイルデバイス（例えばスマートフォン）は、近距離無線通信（ＮＦＣ）チップ及びＮＦＣアンテナを組み込んでいる。ＮＦＣは、２つのデバイスが、約１０ｃｍ以下の近距離で無線通信するのを可能にする無線技術である。ＮＦＣは、ＮＦＣフォーラム仕様内で国際的に標準化されており、例えばＩＳＯ／ＩＥＣ１８０９２、ＩＳＯ／ＩＥＣ１８０００−３、ＩＳＯ／ＩＥＣ２１４８１、ＥＣＭＡ−３４０、ＩＳＯ１４４４３等及びあらゆる先行するバージョン又は後続するバージョンに規定されている。ＮＦＣ技術は、一般に、モバイルデバイスを含む電子デバイス間の通信を可能にするように電磁場誘導を使用して、無線周波数識別（ＲＦＩＤ）規格に基づく非接触近距離無線通信に使用される。
【０００４】
現在、壁コンセント、ＵＳＢポート等にモバイルデバイスを差し込む必要なしにモバイルデバイスのバッテリの無線充電を可能にする、コードレス充電パッドが存在する。図１は、例としての無線充電システム１００を概略的に示す。現在、無線充電に必要な２つの異なる付属品、すなわち充電ステーション１０２及び充電レシーバー１０４がある。
【０００５】
充電ステーション１０２は、内蔵アンテナ（図示せず）を備えている。充電レシーバー１０４は、内蔵アンテナ１０６及び充電インターフェース１０８を備えている。充電レシーバー１０４は、モバイルデバイス１１０の周囲に適合し又はモバイルデバイス１１０に取り付けられる。モバイルデバイス１１０とそれに取り付けられた充電レシーバー１０４との組合せは、充電ステーション１０２に配置される。そして、充電レシーバー１０４は、充電ステーション１０２によって生成される電磁場からアンテナ１０６を介してエネルギーを誘導的に受け取る。そして、このエネルギーは、充電インターフェース１０８を介してモバイルデバイス１１０に移送され、モバイルデバイス１１０のバッテリ（図示せず）を充電するために使用される。
【０００６】
モバイルデバイス１１０に、ＮＦＣアンテナを含むＮＦＣ技術を装備することができる。しかしながら、モバイルデバイス１１０でバッテリを充電するために使用されるのは、ＮＦＣアンテナではなく、充電レシーバー１０４のアンテナ１０６である。したがって、ユーザーは、モバイルデバイスを充電するために別個の充電レシーバーを使用する必要があり、ユーザーが種々のモバイルデバイスを有する場合、モバイルデバイスの各々に、無線充電を使用するためにそれら自体のカスタム充電レシーバー１０４が必要である。
【発明の概要】
【０００７】
様々な実施形態において、本開示は、近距離無線通信（ＮＦＣ）アンテナを備えるモバイルデバイスのバッテリを無線充電する方法であり、ＮＦＣアンテナからモバイルデバイス内に誘導される電流を検出することと、モバイルデバイス内に誘導された電流が、所定持続時間より長く所定閾値を超えているか否かを判断することとによる、方法を提供する。モバイルデバイス内に誘導された電流が所定持続時間より長く所定閾値を超えていると判断された場合、所定閾値を超えるモバイルデバイス内に誘導された電流を使用して、モバイルデバイスのバッテリが充電される。本開示はまた、様々な実施形態において、モバイルデバイスに組み込まれたＮＦＣモジュールに結合された近距離無線通信（ＮＦＣ）アンテナ内に誘導された電流のレベルをモニタリングして、ＮＦＣアンテナ内に誘導された電流のレベルが指定された閾値レベルを超え、かつ指定された持続時間より長く持続するか否かを判断する方法も提供する。ＮＦＣアンテナ内に誘導された電流が指定された持続時間より長く、指定された閾値を超えていると判断することに応じて、ＮＦＣアンテナ内に誘導された電流は、バッテリを充電するために、指定された閾値を超えるＮＦＣアンテナ内に誘導された電流を調整する電源管理モジュールに向けられる。
【０００８】
添付の図を参照して、詳細な説明を示す。図において、参照符号の最左数字（複数の場合もある）は、参照符号が最初に現れる図を特定している。異なる図の同じ参照符号の使用は、同様の又は同一の項目を示す。
【図面の簡単な説明】
【０００９】
【図１】無線充電システム例を概略的に示す図である。
【００１０】
【図２】モバイルデバイスに組み込まれたＮＦＣアンテナを使用する代替的な無線充電システム例を概略的に示す図である。
【００１１】
【図３】モバイルデバイスのバッテリを充電するために使用されるモバイルデバイスに存在するＮＦＣ技術アーキテクチャ例を示す図である。
【００１２】
【図４】モバイルデバイスのＮＦＣアンテナに電流を無線で誘導することによりバッテリを無線充電する方法例を示す図である。
【００１３】
【図５】モバイルデバイスのＮＦＣアンテナに電流を無線で誘導することによりバッテリを無線充電する別の方法例を示す図である。
【発明を実施するための形態】
【００１４】
図２は、モバイルデバイス２０６内のバッテリを充電する、充電ステーション２０２を含む代替的な例としての無線充電システム２００を概略的に示す。充電ステーション２０２は、ＮＦＣ対応デバイスに電流を誘導するのに適している電磁場を発生させるアンテナ２０４を含む。モバイルデバイス２０６は、ＮＦＣアンテナ２０８を含むＮＦＣ技術（図示せず）を装備するデバイスを表す。モバイルデバイス２０６が、充電ステーション２０２の非常に近くに又はその表面に配置されると、モバイルデバイス２０６のＮＦＣアンテナ２０８は、充電ステーション２０２のアンテナ２０４によって送信される電磁エネルギーを誘導的に受信する。そして、このエネルギーを使用して、モバイルデバイス２０６のバッテリ（図示せず）が充電される。モバイルデバイス２０６は、任意選択的に、バッテリ充電プロセスの開始及び／又は完了を示す発光ダイオード（ＬＥＤ）等のインジケーター２１０を含むことができる。例としての無線充電システム１００とは異なり、モバイルデバイス２０６は、充電レシーバー１０４を必要としない。
【００１５】
ＮＦＣアンテナ２０８は、アンテナ２０４との誘導結合を介して有意の電力を収集するのに十分大きい。例として、ＮＦＣアンテナ２０８は、約２．５ｃｍ〜３ｃｍの長さの大型のスパイラルアンテナである。ＮＦＣインターフェース及びプロトコル規格によって指定されるようなＮＦＣ  ＩＰ（知的財産）コア又はブロック、ＮＦＣチップ、ＮＦＣモジュール、ＮＦＣ回路、ＮＦＣロジック等は、最大１２アンペア／メートル（１２Ａ／ｍ）の電磁場を維持するように設計されている。こうした電磁場は、（例えば、米国特許出願第１３／６４４２５６号に記載されているような）ＮＦＣ対応ポータブルスマートフォン拡張、ＮＦＣ対応スマートフォン、他のＮＦＣ対応モバイルデバイス等のような多くの異なるＮＦＣ対応デバイスのバッテリを充電するために必要な電力を収集するのを可能にするほど十分に強力である。一実施形態では、充電ステーション２０２は、最大１２Ａ／ｍの電磁場を発生させるように構成されている。
【００１６】
図３は、モバイルデバイス２０６に存在しかつモバイルデバイス２０６のバッテリ３０４を充電するために使用されるＮＦＣ技術３０２の例としてのアーキテクチャ３００を示す。ＮＦＣ技術３０２は、ＮＦＣモジュール３０６、インピーダンス整合ネットワーク３０８及びＮＦＣアンテナ２０８を含む。インピーダンス整合ネットワーク３０８は、受信及び送信信号パワーの最大化を容易にする等のために、ＮＦＣモジュール３０６とＮＦＣアンテナ２０８との間でインピーダンスを整合させるのに使用される。
【００１７】
ＮＦＣモジュール３０６は、モバイルデバイス２０６における近距離無線通信を容易にする。一実施形態では、ＮＦＣモジュール３０６は、メモリ及び少なくとも１つのプロセッサ（図示せず）を備えるシステムオンチップ（ＳｏＣ）の一部として実装される。代替実施形態では、ＮＦＣモジュール３０６は、特定用途向け集積回路（ＡＳＩＣ）、フィールドプログラマブルゲートアレイ（ＦＰＧＡ）及び／又は他の電子回路の一部として実装される。ＮＦＣモジュール３０６は、ＮＦＣモジュール３０６によって送信される信号の変調とＮＦＣモジュール３０６によって受信される信号の復調とを容易にする負荷変調回路３１０を含む。負荷変調回路３１０は、例えばＮＦＣフォーラム仕様によって示されるような様々なタイプの変調を使用して、様々なデータレートでの通信を容易にする。
【００１８】
一実施形態では、調整器３１２が、ＮＦＣモジュール３０６に入る電流をモニタリングする。一例として、調整器３１２は、アクティブ又はパッシブターゲットデバイス等、ＮＦＣ対応ターゲットデバイスとのＮＦＣ通信セッション中に発生する電流をモニタリングする。ターゲットデバイスへの近接性又はターゲットデバイスの送信出力レベル等の要素に応じて、ＮＦＣモジュール３０６において過電流レベル及び／又は電流スパイクが発生する可能性がある。調整器３１２は、図３に示す例としてのシャントトランジスタ３１４等、分流機構を制御することによって過電流を分流させる。一例として、ＮＦＣプロトコル又は規格を使用してＮＦＣモジュール３０６と別のＮＦＣ対応アクティブデバイス又はパッシブデバイスとの間のＮＦＣベース通信を容易にするために、概して必要なのは数１０ミリアンペア（ｍａ）の電流のみである。調整器３１２は、電流レベルが通常のＮＦＣ通信に必要な閾値レベルを超えるか否かを判断し、電流レベルが閾値レベルを超えた場合、過電流を分流させるように構成されている。一例として、調整器３１２は、自動利得制御を容易にし、復号回路（図示せず）が受信信号を復号するための最適な信号レベルを維持するように、過電流レベル及び電流スパイクを調整する。
【００１９】
ＮＦＣトランザクションは、一般に、数１０ミリ秒、数１００ミリ秒から恐らくは数秒又はそれ以上までかかる。通常のＮＦＣトランザクション中、高閾値を超える過電流レベルは、概して、特に相対的に長いトランザクションの場合、トランザクションの持続時間、持続しない。
【００２０】
代替実施形態では、バッテリ３０４の充電を容易にするために、調整器３１２は、指定された又は所定の持続時間より長く、指定された又は所定の高い閾値電流レベルを超えて持続する電流レベルに対して、異なるように反応するように更に構成されている。一例として、調整器３１２は、指定された持続時間より長く、指定された閾値を超える過電流レベルを分流させたことを検出した場合、モバイルデバイス２０６が充電ステーション２０２に極めて近接して配置されていたと判断する。この実施形態では、過電流を分流させる代りに、調整器３１２は、バッテリ３０４を充電するために電流３１８等の電流を方向転換させる。一実施形態では、調整器３１２は、シャントトランジスタ３１４を開放することにより、電流３１８を電源管理モジュール３１６等の電源管理及び充電回路モジュールに向ける。別の実施形態では、調整器３１２は、シャントトランジスタ３１４を開放し、かつ電流３１８を電源管理モジュール３１６等の電源管理及び充電回路モジュールに直接切り換える。更に別の実施形態では、調整器３１２は、電流の分流を停止し、電流３１８を電源管理モジュール３１６等の電源管理及び充電回路に切り換えるか、又は１つ若しくは複数の他のモジュール（図示せず）に対して、電流３１８を電源管理モジュール３１６等の電源管理及び充電回路に向けるよう誘導する。一例として、ＮＦＣモジュール３０６は、所定持続時間以下の時間、所定の高い閾値レベルを超える電流を分流させるように構成されている。所定の高い閾値レベルを超える電流レベルが、所定持続時間より長い時間持続する場合、ＮＦＣモジュール３０６は、モバイルデバイス２０６の充電式バッテリ３０４を充電するように電流３１８を向けるように構成されている。一例として、所定の高い閾値レベルは１００ミリアンペア以上の電流であり、所定の持続時間は数秒間である。
【００２１】
一実施形態では、ＮＦＣモジュール３０６は、内蔵型電源管理及び充電回路３１６を含む。電源管理回路３１６は、調整器３１２によって電源管理回路３１６に向けられた電流を、バッテリ３０４を充電するために適切に調整するように構成されている。
【００２２】
モバイルデバイス２０６は、バッテリ３０４を充電する有線手段を使用する代替的な電源管理及び充電回路（図示せず）を含むことができる。一例として、モバイルデバイス２０６は、バッテリ３０４を充電するのに使用されるＵＳＢインターフェース又は電源コネクタを有することができる。したがって、代替実施形態では、調整器３１２は、バッテリ３０４を充電するために電流を代替的な電源管理及び充電回路に向けるように構成されている。
【００２３】
一実施形態では、ＮＦＣモジュール３０６は、インジケーター２１０を、バッテリ充電プロセスの開始及び／又は完了を示すように制御するように構成されている。一例として、インジケーター２１０により、ユーザーは、モバイルデバイス２０６が充電ステーション２０２と適切に接触したことと、調整器３１２がモバイルデバイス２０６と充電ステーション２０２との間の接触を適切に検出し、電流を電源管理回路３１６に向けそれによりバッテリ充電が開始したこととを確認することができる。一実施形態では、ＮＦＣモジュール３０６は、インジケーター２１０を、バッテリ充電プロセスが終了したときをユーザーに示すように構成されている。一例として、ＮＦＣモジュール３０６は、充電式バッテリ３０４が実質的に完全に充電されているときを検出し、インジケーター２１０を、充電式バッテリの充電が完了したことを示すように制御するように構成されている。一実施形態では、電源管理モジュール３１６は、充電式バッテリ３０４が実質的に完全に充電されているか否かを判断するように構成されている。
【００２４】
動作方法例  図４は、モバイルデバイスに組み込まれたＮＦＣアンテナに電流を無線で誘導することによりバッテリを無線充電する例としての方法４００を示す。ブロック４０２において、モバイルデバイスのＮＦＣアンテナからモバイルデバイス内に誘導された電流が検出される。ブロック４０４において、モバイルデバイス内に誘導された電流が、所定持続時間より長く所定閾値を超えているか否かが判断される。一例として、調整器３１２は、３１４において２．５秒間より長く続く１００ｍａを超えるシャント電流を検出する。ブロック４０６において、モバイルデバイス内に誘導された電流が所定持続時間より長く所定閾値を超えていると判断することに応じて、所定閾値を超えるモバイルデバイス内に誘導された電流を使用して、モバイルデバイス２０６内の充電式バッテリ３０４等、モバイルデバイスのバッテリが充電される。一例として、電流調整器３１２は、３１４において分流された電流を、バッテリ３０４を充電するためにＮＦＣモジュール３０６の電流３１８に向ける。
【００２５】
例としての方法４００では、ＮＦＣアンテナ２０８は、ＮＦＣアンテナ２０８に結合されたＮＦＣモジュール３０６とともにモバイルデバイス２０６に組み込まれており、所定持続時間より長く所定閾値を超える、モバイルデバイス２０６内に誘導された電流の検出を実行するのは、ＮＦＣモジュール３０６である。ＮＦＣモジュール３０６はまた、例えばＩＳＯ／ＩＥＣ１８０９２、ＩＳＯ／ＩＥＣ１８０００−３、ＩＳＯ／ＩＥＣ２１４８１、ＥＣＭＡ−３４０、ＩＳＯ１４４４３等及びあらゆる先行するバージョン又は後続するバージョンに規定されているようなＮＦＣフォーラム仕様等、ＮＦＣ通信プロトコルを介して、別のＮＦＣ対応デバイスと無線通信するように構成されている。一例として、ＮＦＣモジュール３０６はまた、電源管理モジュール３１６を含み、電流調整器３１２は、電流３１８を、バッテリ３０４を充電するように電流３１８を調整する電源管理モジュール３１６に向ける。
【００２６】
図５は、モバイルデバイスのＮＦＣアンテナに電流を無線で誘導することによってバッテリを無線充電する例としての方法５００を示す。ブロック５０２において、モバイルデバイスに組み込まれたＮＦＣモジュールに結合されたＮＦＣアンテナ内に誘導された電流のレベルがモニタリングされる。５０４において、ＮＦＣモジュールにおいて測定されるＮＦＣアンテナ内に誘導された電流のレベルが、所定持続時間より長く、指定された閾値レベルを超えているという判断がなされる。一例として、ＮＦＣモジュールは、メモリ及びプロセッサを備えたモバイルデバイスのシステムオンチップ（ＳｏＣ）の一部として実装される。したがって、ＳｏＣを、ＮＦＣモジュールがアクセス可能な指定された閾値レベル及び指定された持続時間等、様々な閾値レベルを記憶するようにプログラムするか又は構成することができる。
【００２７】
ブロック５０６において、ＮＦＣアンテナ内に誘導された電流が、指定された持続時間より長く、指定された閾値を超えていると判断することに応じて、指定された閾値を超えてＮＦＣアンテナ内に誘導された電流は、電源管理モジュールに向けられる。一実施形態では、ＮＦＣアンテナ内に誘導された電流は、ＮＦＣモジュール３０６の一部である電源管理モジュール３１６に向けられる。代替実施形態では、ＮＦＣモジュール３０６は、誘導電流を、モバイルデバイス２０６の異なる電源管理及び充電回路モジュールに向ける。ブロック５０８において、電源管理モジュール３１６等の電源管理及び充電回路モジュールは、充電式バッテリ３０４を充電するために、指定された閾値を超えてＮＦＣアンテナ内に誘導される電流を調整する。
【００２８】
一例として、モバイルデバイス２０６が充電ステーション２０２に配置されると、モバイルデバイス２０６に組み込まれたＮＦＣアンテナ２０８に電流が誘導される。ＮＦＣモジュール３０６は、指定された持続時間より長く、指定された閾値レベルを超えるレベルである、ＮＦＣモジュール３０６内の３１４におけるシャント電流又は電流３１８等、結果としての電流を検出する。そして、結果としての電流は、ＮＦＣモジュール３０６によって、モバイルデバイス２０６のバッテリ３０４を充電するために向けられる。ＬＥＤ又は他のインジケーター２１０は、充電が発生していることと、充電が完了したときとを示す。
【００２９】
結び  上記説明は、「一態様において」、「一実施形態において」又は「様々な実施形態において」等の句の使用を組み込み、それらが各々、同じか又は異なる実施形態のうちの１つ又は複数を指す場合があることに留意されたい。さらに、本開示の実施形態に関連して使用する「備える」、「含む」、「有する」等の用語は、同義である。
【００３０】
本明細書で使用する「ロジック」、「コンポーネント」、「回路」及び「モジュール」という用語は、１つ若しくは複数のソフトウェアプログラム若しくはファームウェアプログラム、組合せ論理回路及び／又は記載された機能を提供する他の適切なコンポーネントを実行する、特定用途向け集積回路（ＡＳＩＣ）、システムオンチップ（ＳｏＣ）、電子回路、プロセッサ（共有、専用又はグループ）及び／又はメモリ（共有、専用又はグループ）を指し、それらの一部であり、又はそれらを含むことができる。本明細書に記載したロジック及び機能を、任意のこうしたコンポーネントによって実装することができる。
【００３１】
様々な実施形態によれば、実行されると上述した動作をもたらす命令が記憶格納されている記憶媒体を含む製品を提供することができる。一実施形態では、記憶媒体は、何らかのタイプの非一時的メモリ（図示せず）を含む。様々な実施形態によれば、製品は、例えばソフトウェア又はファームウェア等、コンピューター可読媒体とすることができる。
【００３２】
様々な動作を、請求項に係る主題の理解に最も役立つ方法で、順に複数の別個の作用又は動作として説明している場合がある。しかしながら、説明の順序は、これらの動作が必ずしも順序に依存することを意味するように解釈されるべきではない。特に、これらの動作を、提示の順序で実行しなくてもよい。記載した動作を、記載した実施形態と異なる順序で実行することができる。様々な追加の動作を行うことができ、及び／又は説明した動作を追加の実施形態では省略することができる。
【００３３】
本開示は、具体的な構造的特徴及び／又は方法論的行為を有する実施形態を記載しているが、特許請求の範囲は、記載されている具体的な特徴又は行為に必ずしも限定されないことが理解されるべきである。むしろ、具体的な特徴及び行為は、本開示の特許請求の範囲の範囲内にある幾つかの実施形態を単に例示するものである。
【図１】
2015500626.tif 000003
【図２】
2015500626.tif 000004
【図３】
2015500626.tif 000005
【図４】
2015500626.tif 000006
【図５】
2015500626.tif 000007
【国際調査報告】
2015500626.tif 000008
2015500626.tif 000009
2015500626.tif 000010